(57)【要約】【課題】消臭装置を都度作動させる操作を行うといった手間をかけることなく、ユーザに対して芳香剤の匂いによる不快感を与えないようにすることが可能な「車両における自動消臭制御装置および自動消臭制御方法」を提供する。【解決手段】車載制御装置２３から芳香装置２１の利用状況を示す芳香利用情報を取得する芳香利用情報取得部１２と、当該取得された芳香利用情報を履歴情報記憶部１０に履歴情報として記憶させる芳香利用履歴管理部１３と、共有車２００の予約があったユーザの履歴情報に基づいて、消臭動作を実行するか否かを判定する消臭可否判定部１４と、実行すると判定された場合に、消臭装置２２による消臭動作の実行を車載制御装置２３に指示する消臭動作実行制御部１５とを備え、ユーザの過去における芳香装置２１の利用状況に応じて消臭動作を実行するか否かを判定し、消臭動作を適宜自動的に実行する。【選択図】図１
2019097933.tif 000002
【特許請求の範囲】
【請求項１】
電子的に管理された芳香装置と、電子的に管理された消臭装置とが搭載された車両の車載制御装置と協働して、上記消臭装置による消臭動作の実行を制御するようになされた車両における自動消臭制御装置であって、
上記車両のユーザが上記車両を使用しているときに上記車載制御装置において検出された上記芳香装置の利用状況を示す芳香利用情報を取得する芳香利用情報取得部と、
上記ユーザの識別情報、および、上記芳香利用情報取得部により取得された上記芳香利用情報を互いに関連付けて、履歴情報として管理する芳香利用履歴管理部と、
上記ユーザによる上記車両の使用予定に関する予定情報を取得する予定情報取得部と、
上記予定情報取得部により上記予定情報が取得されたユーザについて、上記芳香利用履歴管理部により管理されている上記履歴情報に基づいて、上記消臭装置による消臭動作を実行するか否かを判定する消臭可否判定部と、
上記消臭可否判定部により上記消臭動作を実行すると判定された場合に、上記消臭装置による消臭動作の実行を上記車載制御装置に指示する消臭動作実行制御部とを備えたことを特徴とする車両における自動消臭制御装置。
【請求項２】
上記消臭可否判定部は、上記予定情報取得部により上記予定情報が取得されたユーザについて、少なくとも直近の２回以上、上記芳香装置を利用していることが上記履歴情報により示されている場合に、上記消臭装置による消臭動作を実行せず、それ以外の場合に消臭動作を実行すると判定することを特徴とする請求項１に記載の車両における自動消臭制御装置。
【請求項３】
上記消臭動作実行制御部は、上記予定情報取得部により上記予定情報が取得されたユーザが上記車両の使用を開始する時刻を上記予定情報より確認し、当該使用開始時刻よりも前に上記消臭装置による消臭動作を実行するように上記車載制御装置に指示することを特徴とする請求項１または２に記載の車両における自動消臭制御装置。
【請求項４】
上記芳香利用履歴管理部は、上記車両の識別情報、上記ユーザの識別情報、および、上記芳香利用情報取得部により取得された上記芳香利用情報を互いに関連付けて、上記履歴情報として管理し、
上記消臭可否判定部は、上記予定情報取得部により上記予定情報が取得されたユーザについて、使用予定の登録を行った車両において少なくとも直近の２回以上、上記芳香装置を利用していることが上記履歴情報により示されている場合に、上記消臭装置による消臭動作を実行せず、それ以外の場合に消臭動作を実行すると判定することを特徴とする請求項１〜３の何れか１項に記載の車両における自動消臭制御装置。
【請求項５】
上記車両は共有車であり、
上記予定情報は、上記共有車の予約に関する予約情報であることを特徴とする請求項１〜４の何れか１項に記載の車両における自動消臭制御装置。
【請求項６】
上記芳香装置は、複数の芳香剤を収容し、何れかの芳香剤を選択的に使用して芳香動作を実行可能に構成され、
上記車載制御装置は、上記芳香装置の利用状況として、何れの芳香剤を使用して芳香動作を実行したかを検出可能に構成され、
上記芳香利用情報取得部は、何れの芳香剤を使用して芳香動作を実行したかを含む利用状況を示す芳香利用情報を取得し、
上記芳香利用履歴管理部は、上記複数の芳香剤ごとに、上記芳香装置の利用状況を上記履歴情報として管理し、
上記消臭可否判定部は、上記予定情報取得部により上記予定情報が取得されたユーザについて、上記芳香利用履歴管理部により上記複数の芳香剤ごとに上記芳香装置の利用状況が管理されている上記履歴情報に基づいて、少なくとも直近の２回以上、同じ芳香剤で上記芳香装置を利用していることが上記履歴情報により示されている場合に、上記消臭装置による消臭動作を実行せず、それ以外の場合に消臭動作を実行すると判定することを特徴とする請求項１に記載の車両における自動消臭制御装置。
【請求項７】
電子的に管理された芳香装置と、電子的に管理された消臭装置とが搭載された車両の車載制御装置と協働する自動消臭制御装置において、上記消臭装置による消臭動作の実行を制御するようになされた車両における自動消臭制御方法であって、
上記自動消臭制御装置の予定情報取得部が、上記ユーザによる上記車両の使用予定に関する予定情報を取得する予定情報取得ステップと、
上記自動消臭制御装置の芳香利用情報取得部が、上記車両のユーザが使用予定の登録を行った車両を使用しているときに上記車載制御装置において検出された上記芳香装置の利用状況を示す芳香利用情報を取得する芳香利用情報取得ステップと、
上記自動消臭制御装置の芳香利用履歴管理部が、上記ユーザの識別情報、および、上記芳香利用情報取得部により取得された上記芳香利用情報を互いに関連付けて、履歴情報として管理する芳香利用履歴管理ステップと、
上記自動消臭制御装置の消臭可否判定部が、上記予定情報取得部により上記予定情報が取得されたユーザについて、上記芳香利用履歴管理部により管理されている上記履歴情報に基づいて、上記消臭装置による消臭動作を実行するか否かを判定する消臭可否判定ステップと、
上記自動消臭制御装置の消臭動作実行制御部が、上記消臭可否判定部により上記消臭動作を実行すると判定された場合に、上記消臭装置による消臭動作の実行を上記車載制御装置に指示する消臭動作実行制御ステップとを有することを特徴とする車両における自動消臭制御方法。
【発明の詳細な説明】
【技術分野】
【０００１】
本発明は、車両における自動消臭制御装置および自動消臭制御方法に関し、特に、車両の車載制御装置と協働して、車両に搭載された消臭装置による消臭動作の実行を制御するようになされた自動消臭制御装置および自動消臭制御方法に用いて好適なものである。
【背景技術】
【０００２】
近年、複数人の会員ユーザで特定の車を共有して利用するカーシェアリングが普及してきている。カーシェアリングでは、ユーザは、所望のタイミングで共有車を借り受けることができ、また、所望のタイミングで共有車を返却することができる。
【０００３】
ところで、自家用車を保有する多くの人が、車内の臭いが気になり、車内に芳香剤を設置して利用していることが知られている。カーシェアリングを利用するユーザについても同様に、共有車の車内に芳香剤を設置して利用することが想定される。この場合、あるタイミングで共有車を使用するユーザは、他のユーザが先に使用した共有車を後から使用することになるが、他のユーザが芳香剤を利用していると、その匂いが車内に残っていることがある。
【０００４】
ここで、一般的に、人には匂いに好き嫌いがある。そのため、後から共有車を使用するユーザが、車内に残っている匂いを好きでない場合、当該ユーザに不快感を与えてしまうことになる。このような不快感をユーザに与えないようにするために、一人のユーザによる共有車の使用が終わる都度、車内に消臭剤を設置して無臭空間を作ることが考えられるが、手間がかかるという問題がある。
【０００５】
なお、特許文献１には、乗車する何分か前にユーザが無線送信器のスイッチをオンとすることにより、車載された消臭装置のポンプおよびファンモータを作動させ、乗車時には快適な車内空間とすることができるようにした車両用遠隔装置が開示されている。
【０００６】
しかしながら、特許文献１に記載の車両用遠隔装置を共有車に適用したとしても、車内の消臭装置を遠隔操作することができるものの、一人のユーザによる共有車の使用が終わる都度、無線送信器のスイッチをオンとする操作を行う必要があり、都度の手間がかかるという問題は解消できない。
【先行技術文献】
【特許文献】
【０００７】
【特許文献１】特開２０００−６０９４９号公報
【発明の概要】
【発明が解決しようとする課題】
【０００８】
本発明は、このような問題を解決するために成されたものであり、一人のユーザによる共有車の使用が終わる都度、消臭装置を作動させる操作を行うといった手間をかけることなく、共有車を後から使用するユーザに対して芳香剤の匂いによる不快感を与えないようにすることを目的とする。
【課題を解決するための手段】
【０００９】
上記した課題を解決するために、本発明では、ユーザが共有車を使用しているときに車載制御装置において検出された芳香装置の利用状況を示す芳香利用情報を取得し、当該取得された芳香利用情報をユーザの識別情報と関連付けて履歴情報として管理する。そして、ユーザから共有車の使用に関する予約があった場合、そのユーザについて芳香利用履歴管理部により管理されている過去の履歴情報に基づいて、消臭装置による消臭動作を実行するか否かを判定し、実行すると判定された場合に、消臭装置による消臭動作の実行を車載制御装置に指示するようにしている。
【発明の効果】
【００１０】
上記のように構成した本発明によれば、ユーザの過去における芳香装置の利用状況に応じて、消臭装置による消臭動作を実行するか否かが判定され、その判定の結果に応じて消臭動作が適宜実行されることとなる。このため、例えば、芳香装置について所定の利用状況が示されるユーザが共有車を予約した場合は消臭動作が実行されず、所定の利用状況が示されないユーザが共有車を予約した場合は消臭動作が自動的に実行されるようになる。これにより、一人のユーザによる共有車の使用が終わる都度、消臭装置を作動させる操作を行うといった手間をかけることなく、共有車を後から使用するユーザに対して、消臭動作の実行により芳香剤の匂いによる不快感を与えないようにすることができる。
【図面の簡単な説明】
【００１１】
【図１】本実施形態による自動消臭制御装置を適用した車内環境制御システムの機能構成例を示す図である。
【図２】本実施形態の履歴情報記憶部に記憶される履歴情報の一例を模式的に示す図である。
【図３】本実施形態による自動消臭制御装置において、あるユーザが共有車の予約を行ったときに実行される処理の例を示すフローチャートである。
【図４】本実施形態による自動消臭制御装置において、予約を行ったユーザが共有車を使用しているときに実行される処理の例を示すフローチャートである。
【発明を実施するための形態】
【００１２】
以下、本発明の一実施形態を図面に基づいて説明する。図１は、本実施形態による自動消臭制御装置を適用した車内環境制御システムの機能構成例を示す図である。
【００１３】
図１に示すように、本実施形態の車内環境制御システムは、自動消臭制御装置１００と共有車２００とを備えて構成されている。自動消臭制御装置１００と共有車２００との間は、例えばインターネットや携帯電話網の通信ネットワークにより接続されている。本実施形態において、自動消臭制御装置１００は、通信ネットワークに接続されたサーバ装置として存在する。
【００１４】
共有車２００は、カーシェリング会社によってシェアリングサービス用に提供される車両であり、車載制御装置２３と、当該車載制御装置２３によって電子的に管理された芳香装置２１と、同じく車載制御装置２３によって電子的に管理された消臭装置２２と、通信ネットワークを介して自動消臭制御装置１００との間で通信を行う通信部２４とを搭載している。これらの芳香装置２１、消臭装置２２、車載制御装置２３および通信部２４は、車内ＬＡＮによって通信が可能なように接続されている。
【００１５】
芳香装置２１は、芳香剤を蓄えるタンクと、芳香剤を噴霧する噴霧機構と、噴霧機構を電子的に作動させる電子スイッチとを備えている。電子スイッチは、車載制御装置２３から与えられる起動信号に応じてオンとなり、噴霧機構を作動させる。車載制御装置２３は、図示しない芳香ボタンをユーザが操作したことに応じて、芳香装置２１の電子スイッチの起動信号を発生させる。
【００１６】
このように、本実施形態では、ユーザによる芳香ボタンの操作に応じて、車載制御装置２３からの起動信号によって芳香装置２１の芳香動作を実行するようにしている。このため、ユーザが芳香ボタンを操作して芳香動作を実行したかどうかを車載制御装置２３にて把握し、管理することが可能である。車載制御装置２３は、ユーザ操作に基づく芳香装置２１の利用状況を示す芳香利用情報を、共有車２００の識別情報（以下、共有車ＩＤという）と共に、通信部２４を介して自動消臭制御装置１００に送信する。
【００１７】
なお、ユーザが芳香ボタンを操作して芳香動作を実行したかどうかの管理方法は、上述の例に限定されない。例えば、芳香ボタンのユーザ操作に応じて車載制御装置２３から芳香装置２１に起動信号を与える構成に代えて、芳香ボタンまたは芳香レバーといった操作子のユーザ操作に応じて噴霧機構が機械的に作動するようにし、噴霧機構の作動を芳香装置２１が検知して、そのことを芳香装置２１から車載制御装置２３に通知する構成としてもよい。
【００１８】
消臭装置２２は、消臭剤を蓄えるタンクと、消臭剤を噴霧する噴霧機構と、噴霧機構を電子的に作動させる電子スイッチとを備えている。電子スイッチは、車載制御装置２３から与えられる起動信号に応じてオンとなり、噴霧機構を作動させる。車載制御装置２３は、図示しない消臭ボタンをユーザが操作したことに応じて、消臭装置２２の電子スイッチの起動信号を発生させる。また、車載制御装置２３は、自動消臭制御装置１００から送られてくる指示信号に応じて、消臭装置２２の電子スイッチの起動信号を発生させる。つまり、消臭装置２２は、ユーザによる消臭ボタンのマニュアル操作によって消臭動作を実行することも可能であるし、自動消臭制御装置１００からの指示に従って消臭動作を自動的に実行することも可能である。
【００１９】
なお、消臭ボタンのユーザ操作に基づく消臭動作の実行の仕方は、上述の例に限定されない。例えば、消臭ボタンのユーザ操作に応じて車載制御装置２３から消臭装置２２に起動信号を与える構成に代えて、消臭ボタンまたは消臭レバーといった操作子のユーザ操作に応じて噴霧機構が機械的に作動するように構成してもよい。
【００２０】
自動消臭制御装置１００は、共有車２００の車載制御装置２３と協働して、消臭装置２１による消臭動作の実行を制御するようになされたものであり、その機能構成として、予約情報取得部１１、芳香利用情報取得部１２、芳香利用履歴管理部１３、消臭可否判定部１４、消臭動作実行制御部１５および通信部１６を備えて構成されている。また、自動消臭制御装置１００は、記憶媒体として、履歴情報記憶部１０を備えている。また、自動消臭制御装置１００には、共有車２００の予約管理を行う予約管理サーバ３００が接続されている。
【００２１】
上記各機能ブロック１１〜１６は、ハードウェア、ＤＳＰ（Digital Signal Processor）、ソフトウェアの何れによっても構成することが可能である。例えばソフトウェアによって構成する場合、上記各機能ブロック１１〜１６は、実際にはコンピュータのＣＰＵ、ＲＡＭ、ＲＯＭなどを備えて構成され、ＲＡＭやＲＯＭ、ハードディスクまたは半導体メモリ等の記録媒体に記憶されたプログラムが動作することによって実現される。
【００２２】
通信部１６は、通信ネットワークを介して共有車２００との間で通信を行うものである。
【００２３】
予約情報取得部１１は、特許請求の範囲の予定情報取得部に相当するものであり、ユーザによる共有車２００の使用予定に関する予約情報（特許請求の範囲の予定情報に相当）を予約管理サーバ３００から取得する。すなわち、カーシェアリングサービスを利用する会員ユーザは、共有車２００を使用する際、前もって共有車２００の予約を行う。予約の内容は、誰が、いつ、どの共有車２００を使用するかを特定するものである。すなわち、予約管理サーバ３００は、予約を行ったユーザの識別情報（以下、ユーザＩＤという）と、共有車２００の使用期間と、使用する共有車２００の識別情報（共有車ＩＤ）とを関連付けて予約情報として記憶し、管理している。予約情報取得部１１は、このようにして予約管理サーバ３００により管理されている予約情報を取得する。
【００２４】
予約情報取得部１１による予約情報の取得は、例えば、予約管理サーバ３００に対して予約情報が登録された時点で行う。すなわち、予約管理サーバ３００に対して予約情報が登録されると、予約管理サーバ３００から自動消臭制御装置１００に対して予約情報を送信し、予約情報取得部１１がこれを取得する。
【００２５】
芳香利用情報取得部１２は、芳香装置２１の利用状況を示す芳香利用情報を、共有車ＩＤと共に通信部１６，２４を介して車載制御装置２３から取得する。この芳香利用情報は、共有車２００のユーザが共有車２００を使用しているときに車載制御装置２３において検出された情報である。
【００２６】
すなわち、あるユーザが使用期間を指定して共有車２００の予約を行った後、その使用期間中にユーザが共有車２００を使用し、マニュアル操作によって芳香装置２１を作動させると、そのことが車載制御装置２３において検知され、管理される。芳香利用情報取得部１２は、そのようにして車載制御装置２３により管理された芳香装置２１の利用状況を示す芳香利用情報を、通信部１６，２４を介して車載制御装置２３から取得する。
【００２７】
なお、車載制御装置２３から自動消臭制御装置１００に対する芳香利用情報の送信は、例えば、マニュアル操作に基づく芳香装置２１の作動を車載制御装置２３が検知した時点で自動的に行うようにすることが可能である。あるいは、芳香利用情報を車載制御装置２３に一時的に記憶しておき、予約された使用期間が終了した時点で車載制御装置２３から自動消臭制御装置１００に芳香利用情報を自動的に送信するようにしてもよい。
【００２８】
更に別の例として、予約された使用期間が終了した後の任意のタイミングで、芳香利用情報取得部１２から車載制御装置２３に供給される取得要求に応じて、車載制御装置２３から自動消臭制御装置１００に芳香利用情報を送信するようにしてもよい。ここで、任意のタイミングとしては、例えば、次のユーザが同じ共有車２００を予約したタイミングとすることが可能である。あるいは、複数のユーザに関する芳香利用情報をユーザＩＤと共に車載制御装置２３に記憶しておくようにすれば、同じユーザが次に同じ共有車２００を予約したタイミングで、芳香利用情報取得部１２から車載制御装置２３に芳香利用情報の取得要求をユーザＩＤと共に送信し、該当ユーザの芳香利用情報を車載制御装置２３から取得するようにすることも可能である。
【００２９】
芳香利用履歴管理部１３は、ユーザＩＤと芳香利用情報取得部１２により取得された芳香利用情報とを互いに関連付けて、履歴情報として管理する。履歴情報は、履歴情報記憶部１０に記憶して管理される。図２は、履歴情報記憶部１０に記憶される履歴情報の一例を模式的に示す図である。図２は、ユーザＩＤが“Ｕ００１”のユーザに関する履歴情報を示したものである。
【００３０】
図２に示すように、履歴情報は、項目として、共有車ＩＤ、共有車２００の使用期間および芳香装置２１の利用状況を有している。なお、本実施形態では、ユーザは常に同じ共有車２００を使用可能であるものとする。そのため、共有車ＩＤには何れも同じ値が入力されている。共有車２００の使用期間は、予約情報取得部１１が予約管理サーバ３００から取得した予約情報により示されるものである。芳香装置２１の利用状況は、芳香利用情報取得部１２が車載制御装置２３から取得された芳香利用情報により示されるものである。
【００３１】
予約情報取得部１１が予約管理サーバ３００から予約情報を取得すると、芳香利用履歴管理部１３によって履歴情報のレコードが１つ追加される。その時点において、そのレコードには共有車ＩＤおよび共有車２００の使用期間の値のみが入力され、芳香装置２１の利用状況は値が入力されていない。その後、芳香利用情報取得部１２により車載制御装置２３から芳香利用情報が共有車ＩＤと共に取得されると、芳香利用履歴管理部１３によって芳香装置２１の利用状況を示す値が該当のレコードに追加入力される。
【００３２】
芳香装置２１の利用状況は、ユーザ操作に基づく芳香動作の実行の有無を示すものであり、図２では、芳香動作を実行していない場合を“×”、実行している場合を“○”で示している。図２の例では、ユーザＩＤ“Ｕ００１”のユーザは過去３回、共有車２００を使用し、１回目は芳香動作を実行せず、２回目と３回目は芳香動作を実行したことを示している。
【００３３】
消臭可否判定部１４は、予約情報取得部１１により予約情報が取得されたユーザについて、芳香利用履歴管理部１３により履歴情報記憶部１０に記憶して管理されている履歴情報に基づいて、消臭装置２２による消臭動作を実行するか否かを判定する。具体的には、消臭可否判定部１４は、予約情報取得部１１により予約情報が取得されたユーザについて、少なくとも直近の２回以上、芳香装置２１を利用していることが履歴情報により示されている場合には消臭装置２２による消臭動作を実行せず、それ以外の場合に消臭動作を実行すると判定する。
【００３４】
例えば、図２に示すような履歴情報が履歴情報記憶部１０に記憶されているユーザが、４回目の共有車２００の使用を予約した場合、消臭可否判定部１４は、図２に示される過去３回の履歴情報に基づいて、消臭装置２２による消臭動作を実行するか否かを判定する。ここでは、直近の２回において芳香装置２１を利用していることが履歴情報により示されているので、消臭可否判定部１４は、消臭装置２２による消臭動作を実行しないと判定する。
【００３５】
ユーザが直近の２回以上、芳香装置２１を利用しているということは、そのユーザは、芳香剤の匂いを好むか、少なくとも不快には思わない傾向があると推測できる。従って、このような傾向が見られるユーザが共有車２００の予約を行った場合には、前に使用したユーザが仮に芳香装置２１を利用していても、今回のユーザが共有車２００の使用を開始するまでの間に消臭動作を実行する必要はないと考えられる。このため、本実施形態では、直近の２回以上において芳香装置２１を利用していることが履歴情報により示されているユーザに関しては、消臭装置２２による消臭動作を実行しないようにしている。
【００３６】
逆に、直近２回のうち少なくとも一方において、ユーザが芳香装置２１を利用していないということは、そのユーザは、芳香剤の匂いをあまり好まないか、試しに１回使用してみただけであると推測できる。従って、このような傾向が見られるユーザが共有車２００の予約を行った場合には、そのユーザが共有車２００の使用を開始するまでの間に消臭動作を実行しておくのが好ましいと考えられる。このため、本実施形態では、直近の２回以上において芳香装置２１を利用していることが履歴情報により示されていないユーザに関しては、消臭装置２２による消臭動作を実行するようにしている。
【００３７】
なお、共有車２００を初めて使用するユーザについては、履歴情報が存在しないので、そのユーザが芳香剤の匂いを好むのか、不快に思うのかを推測することができない。この場合、消臭可否判定部１４は、消臭装置２２による消臭動作を実行すると判定する。すなわち、履歴情報が存在しない場合は、直近の２回以上において芳香装置２１を利用していることが履歴情報により示されていない場合に相当するので、消臭可否判定部１４は、消臭装置２２による消臭動作を実行すると判定する。
【００３８】
また、共有車２００の使用が２回目のユーザについては、履歴情報のレコードが１つしか存在しないので、直近の２回以上において芳香装置２１を利用していることが履歴情報により示されていない場合に相当する。よって、この場合も消臭可否判定部１４は、消臭装置２２による消臭動作を実行すると判定する。仮に、１回目の共有車２００の使用時に芳香装置２１を利用していることが履歴情報により示されていても、そのユーザが芳香剤の匂いを好んで芳香装置２１を利用したのか、試しに使ってみた程度なのかが判然としないからである。
【００３９】
消臭動作実行制御部１５は、消臭可否判定部１４により消臭動作を実行すると判定された場合に、消臭装置２２による消臭動作の実行を車載制御装置２３に指示する。具体的には、消臭動作実行制御部１５は、予約情報取得部１１により予約情報が取得されたユーザ（つまり、予約を行ったユーザ）が共有車２００の使用を開始する時刻を予約情報より確認し、当該使用開始時刻よりも前に消臭装置２２による消臭動作を実行するように車載制御装置２３に指示する。共有車２００の使用開始時刻の確認は、予約情報取得部１１により取得された予約情報に基づいて芳香利用履歴管理部１３が履歴情報記憶部１０に追加した最新のレコードを確認することによって行うことが可能である。
【００４０】
また、消臭動作実行制御部１５は、予約を行ったユーザが使用する共有車２００を当該ユーザの前に使用している他のユーザについて、共有車２００の使用を終了する時刻を予約情報より確認し、当該使用終了時刻よりも後に消臭装置２２による消臭動作を実行するように車載制御装置２３に指示する。他のユーザに関する共有車２００の使用終了時刻も、履歴情報記憶部１０に記憶されている他のユーザに関する履歴情報の最新のレコードを確認することによって確認することが可能である。
【００４１】
前のユーザが共有車２００の使用を終了する時刻よりも後で、対象のユーザが共有車２００の使用を開始する時刻よりも前に消臭動作を実行するように車載制御装置２３に指示することは、例えば、消臭動作の実行のタイミングに合わせて指示信号を車載制御装置２３に送信することによって行うことが可能である。この場合は、車載制御装置２３は、消臭動作実行制御部１５から指示信号を受信した時点で直ちに消臭装置２２の消臭動作を実行する。別の例として、消臭動作の実行時刻の指定情報を含んだ指示信号を車載制御装置２３にあらかじめ送信し、車載制御装置２３がその実行時刻になるのを待って、消臭装置２２の消臭動作を実行するようにしてもよい。
【００４２】
図３および図４は、上記のように構成した本実施形態による自動消臭制御装置１００の動作例を示すフローチャートである。図３に示すフローチャートは、あるユーザが共有車２００の予約を行ったときに実行される処理を示すものであり、予約情報が予約管理サーバ３００に登録された後に開始する。
【００４３】
図３において、予約情報取得部１１は、ユーザによる共有車２００の使用に関する予約情報を予約管理サーバ３００から取得する（ステップＳ１）。この予約情報には、予約を行ったユーザのユーザＩＤと、当該ユーザが使用する共有車２００の共有車ＩＤと、共有車２００の使用期間とが含まれている。
【００４４】
予約情報取得部１１が予約管理サーバ３００から予約情報を取得すると、芳香利用履歴管理部１３は、予約情報に含まれているユーザＩＤに関連付けて履歴情報記憶部１０に記憶されている履歴情報のレコードを１つ追加し、そのレコードに共有車ＩＤおよび共有車２００の使用期間の値を記録する（ステップＳ２）。
【００４５】
次いで、消臭可否判定部１４は、予約情報取得部１１により予約情報が取得されたユーザについて、芳香利用履歴管理部１３により履歴情報記憶部１０に記憶して管理されている履歴情報（ステップＳ２で追加されたレコードよりも前のレコードの情報）に基づいて、消臭装置２２による消臭動作を実行するか否かを判定する（ステップＳ３）。
【００４６】
ここで、消臭装置２２による消臭動作を実行すると消臭可否判定部１４により判定された場合（ステップＳ４：Ｙｅｓ）、消臭動作実行制御部１５は、消臭装置２２による消臭動作の実行を車載制御装置２３に指示する（ステップＳ５）。例えば、消臭動作の実行時刻の指定情報を含んだ指示信号を車載制御装置２３に送信する。この指示信号を受けて、車載制御装置２３は、指示信号に含まれる指定情報により示される実行時刻になるのを待って、消臭装置２２の消臭動作を実行する。
【００４７】
一方、消臭装置２２による消臭動作を実行しないと消臭可否判定部１４により判定された場合（ステップＳ４：Ｎｏ）、消臭動作実行制御部１５は、消臭装置２２による消臭動作の実行を車載制御装置２３に指示しない。これにより、図３に示すフローチャートの処理は終了する。
【００４８】
図４に示すフローチャートは、予約を行ったユーザが共有車２００を使用しているときに実行されるフローチャートであり、図３のステップＳ２において追加されたレコードに記録されている共有車２００の使用期間の開始時刻になったときに開始する。なお、図４は、ユーザ操作に基づく芳香装置２１の作動を車載制御装置２３が検知した時点で、車載制御装置２３が自動消臭制御装置１００に対して芳香利用情報を自動的に送信する場合の動作例を示している。
【００４９】
共有車２００の使用期間の開始時刻になった後、芳香利用情報取得部１２は、共有車２００の車載制御装置２３から芳香利用情報が送られてくるのを監視している（ステップＳ１１）。芳香利用情報が送られてきていないと芳香利用情報取得部１２により判定された場合（ステップＳ１１：Ｎｏ）、処理はステップＳ１３に遷移する。
【００５０】
一方、芳香利用情報取得部１２が車載制御装置２３から芳香利用情報を取得した場合（ステップＳ１１：Ｙｅｓ）、芳香利用履歴管理部１３は、図３のステップＳ２において追加されたレコードに対し、芳香装置２１の利用状況を示す値を記録することにより、ユーザＩＤに関連付けて芳香利用情報を履歴情報として履歴情報記憶部１０に記憶させる（ステップＳ１２）。
【００５１】
その後、芳香利用情報取得部１２は、共有車２００の使用期間の終了時刻になったか否かを判定する（ステップＳ１３）。ここで、まだ終了時刻になっていない場合、処理はステップＳ１１に戻る。一方、使用期間の終了時刻になると、図４に示すフローチャートの処理は終了する。
【００５２】
以上詳しく説明したように、本実施形態では、ユーザが共有車２００を使用しているときに車載制御装置２３において検出された芳香装置２１の利用状況を示す芳香利用情報を芳香利用情報取得部１２にて取得し、当該取得された芳香利用情報をユーザＩＤと関連付けて履歴情報として履歴情報記憶部１０に記憶する。そして、ユーザから共有車２００の使用に関する予約があった場合、そのユーザについて履歴情報記憶部１０に記憶されている過去の履歴情報に基づいて、消臭装置２２による消臭動作を実行するか否かを消臭可否判定部１４にて判定し、実行すると判定された場合に、消臭装置２２による消臭動作の実行を消臭動作実行制御部１５から車載制御装置２３に指示するようにしている。
【００５３】
このように構成した本実施形態によれば、ユーザの過去における芳香装置２１の利用状況に応じて、消臭装置２２による消臭動作を実行するか否かが判定され、その判定の結果に応じて消臭動作が適宜実行されることとなる。このため、例えば、芳香装置２１について所定の利用状況（直近２回以上の利用状況）が示されるユーザが共有車２００を予約した場合は消臭動作が実行されず、所定の利用状況が示されないユーザが共有車２００を予約した場合は消臭動作が自動的に実行されるようになる。これにより、一人のユーザによる共有車２００の使用が終わる都度、消臭装置２２を作動させる操作を行うといった手間をかけることなく、共有車２００を後から使用するユーザ、特に履歴情報から芳香剤の匂いを好まないと推測されるユーザに対して、消臭動作の実行により芳香剤の匂いによる不快感を与えないようにすることができる。
【００５４】
なお、上記実施形態では、ユーザは常に同じ共有車２００を使用可能であるものとして説明したが、異なる共有車２００を予約して使用可能な場合にも、本発明を適用することが可能である。この場合、消臭可否判定部１４は、予約情報取得部１１により予約情報が取得されたユーザについて、予約を行った共有車において少なくとも直近の２回以上、芳香装置２１を利用していることが履歴情報により示されている場合に、消臭装置２２による消臭動作を実行せず、それ以外の場合に消臭動作を実行すると判定する。
【００５５】
また、上記実施形態では、自動消臭制御装置１００と予約管理サーバ３００とが別体として構成される例を示したが、本発明はこれに限定されない。例えば、予約管理サーバ３００が自動消臭制御装置１００の機能を備える構成としてもよい。
【００５６】
また、上記実施形態では、カーシェリング会社によってシェアリングサービス用に提供される共有車２００に搭載される消臭装置２２を制御する例について説明したが、家族で共用される自家用車に搭載される消臭装置を制御する場合にも、本発明を同様に適用することが可能である。この場合の自家用車は、図１に示した芳香装置２１、消臭装置２２、車載制御装置２３および通信部２４を備える。また、自動消臭制御装置１００には、シェアリング会社の予約管理サーバ３００に代えて、家族の各構成員による自家用車の使用予定に関する管理を行う予定管理サーバが接続される。自動消臭制御装置１００は、予約情報取得部１１に代えて、予定情報取得部を備える。
【００５７】
予定管理サーバが行う自家用車の使用予定に関する管理は、予約管理サーバ３００が行う共有車２００の予約管理と同様である。すなわち、家族の各構成員は、自家用車を使用する際、前もって使用予定の登録を予定管理サーバに対して行う。使用予定の内容は、誰が、いつ自家用車を使用するかを特定するものである。自家用車が複数台ある場合は、どの自家用車を使用するかを更に特定する内容を登録する。すなわち、予定管理サーバは、使用予定の登録を行ったユーザのユーザＩＤと、自家用車の使用期間と、使用する自家用車の識別情報（車ＩＤ）とを関連付けて予定情報として記憶し、管理している。
【００５８】
自動消臭制御装置１００の予約情報取得部１１に代えて備える予定情報取得部は、上述のようにして予定管理サーバにより管理されている予定情報を取得する。自動消臭制御装置１００の他の構成、すなわち、芳香利用情報取得部１２、芳香利用履歴管理部１３、消臭可否判定部１４および消臭動作実行制御部１５の動作は、上記実施形態で説明したのと同様である。
【００５９】
また、上記実施形態において、芳香装置２１は、複数の芳香剤を収容し、何れかの芳香剤を選択的に使用して芳香動作を実行可能に構成されたものであってもよい。この場合、車載制御装置２３は、芳香装置２１の利用状況として、何れの芳香剤を使用して芳香動作を実行したかを検出可能に構成される。
【００６０】
例えば、芳香装置２１は、複数の芳香剤を個別に蓄える複数のタンクと、複数の芳香剤を個別に噴霧する複数の噴霧機構と、複数の噴霧機構を電子的に作動させる電子スイッチとを備えている。電子スイッチは、車載制御装置２３から与えられる起動信号に応じてオンとなり、何れかの芳香剤に関する噴霧機構を作動させる。車載制御装置２３は、芳香装置２１に芳香剤ごとに設けられた複数の芳香ボタンの何れかをユーザが操作したことに応じて、芳香装置２１の電子スイッチの起動信号を発生させる。
【００６１】
車載制御装置２３は、ユーザがどの芳香ボタンを操作して芳香動作を実行したかを管理する。そして、車載制御装置２３は、ユーザ操作に基づく芳香装置２１の利用状況を示す芳香利用情報を、共有車２００の共有車ＩＤ（自家用車の場合は車ＩＤ）と共に、通信部２４を介して自動消臭制御装置１００に送信する。自動消臭制御装置１００の芳香利用情報取得部１２は、何れの芳香剤を使用して芳香動作を実行したかを含む利用状況を示す芳香利用情報を車載制御装置２３から取得する。
【００６２】
芳香利用履歴管理部１３は、複数の芳香剤ごとに、芳香装置２１の利用状況を履歴情報として管理する。すなわち、上記実施形態では、図２に示したように、芳香装置２１の利用状況を示す履歴情報として、単に芳香動作の実行の有無を管理したが、これを複数の芳香剤ごとに分けて芳香動作の実行の有無を管理する。例えば、２種類の芳香剤Ａ，Ｂがあるとして、車の１回の使用の際に、芳香剤Ａによる芳香動作は実行したが、芳香剤Ｂによる芳香動作は実行しなかった場合、芳香剤Ａによる芳香動作は実行あり、芳香剤Ｂによる芳香動作は実行なしという履歴情報が履歴情報記憶部１０に記憶される。
【００６３】
消臭可否判定部１４は、予約情報取得部１１（予定情報取得部）により予約情報（予定情報）が取得されたユーザについて、芳香利用履歴管理部１３により複数の芳香剤ごとに芳香装置２１の利用状況が管理されている履歴情報に基づいて、消臭装置２２による消臭動作を実行するか否かを判定する。具体的には、少なくとも直近の２回以上、同じ芳香剤で芳香装置２１を利用していることが履歴情報により示されている場合に、消臭装置２２による消臭動作を実行せず、それ以外の場合に消臭動作を実行すると判定する。
【００６４】
例えば、直近の２回連続で芳香装置２１を利用していても、直前は芳香剤Ａによる芳香動作を実行し（芳香剤Ｂによる芳香動作の実行は無し）、その前は芳香剤Ｂによる芳香動作を実行していることが履歴情報により示されている場合は、２回連続とカウントせず、消臭装置２２による消臭動作を実行すると判定する。芳香剤Ａによる芳香動作を２回以上連続して実行している場合、または、芳香剤Ｂによる芳香動作を２回以上連続して実行している場合にのみ、消臭装置２２による消臭動作を実行しないと判定する。
【００６５】
その他、上記実施形態は、何れも本発明を実施するにあたっての具体化の一例を示したものに過ぎず、これによって本発明の技術的範囲が限定的に解釈されてはならないものである。すなわち、本発明はその要旨、またはその主要な特徴から逸脱することなく、様々な形で実施することができる。
【符号の説明】
【００６６】
１０  履歴情報記憶部
１１  予約情報取得部（予定情報取得部）
１２  芳香利用情報取得部
１３  芳香利用履歴管理部
１４  消臭可否判定部
１５  消臭動作実行制御部
２１  芳香装置
２２  消臭装置
２３  車載制御装置
１００  自動消臭制御装置
２００  共有車
３００  予約管理サーバ
【図１】
2019097933.tif 000003
【図２】
2019097933.tif 000004
【図３】
2019097933.tif 000005
【図４】
2019097933.tif 000006